(57)【特許請求の範囲】
【請求項１】
上面に洗面ボウルを有する洗面カウンターがキャビネットの上端部分に設置され、洗面ボウルの排水栓を開閉動作させる操作手段を備え、操作手段と排水栓とはレリースによって連結されており、操作手段の操作によりレリースのアウターチューブ内をインナーワイヤが摺動し、これに連動して排水栓が上下方向に開閉動作される排水栓遠隔操作装置であって、キャビネットの下端部分の前側に後方へ凹んだ蹴込み部が形成されており、この蹴込み部の表側に操作手段として操作体を突設し、同蹴込み部の裏側内部スペースではレリースの端部を前方へ向けて固定し、このレリースの端部で前後方向に摺動されるインナーワイヤの前端と前記操作体とを結合して、操作体の操作部は後方へ押し動作されることによって排水栓を開動作及び閉動作させるものとし、かつ、操作体の中程を蹴込み部に枢支してその両側を前後方向でシーソー状に揺動される操作部となし、一方の操作部の後側にインナーワイヤの前端を結合して、操作体の同一方の操作部を後方へ押し動作させることによって排水栓が開動作され、他方の操作部を後方へ押し動作させることによって排水栓が閉動作されるようになしたことを特徴とする排水栓遠隔操作装置。
【請求項２】
操作体の中程を蹴込み部に水平軸で枢支してその両側の操作部が上下に配置されるようになし、上方の操作部の後側にインナーワイヤの前端を結合したことを特徴とする請求項１記載の排水栓遠隔操作装置。
【発明の詳細な説明】
【技術分野】
【０００１】
本願発明は、洗面ボウルの排水栓を開閉動作させる操作手段を備え、操作手段と排水栓とがレリースによって連結された排水栓遠隔操作装置に関するものである。
【背景技術】
【０００２】
従来から、図３に示すように、洗面ボウル１の排水栓４を開閉動作させる操作手段Ｂを備え、操作手段Ｂと排水栓４とがレリース５によって連結された排水栓遠隔操作装置は知られている（特許文献１：特開平７−２２４４５１号公報）。この場合、操作手段Ｂの操作によりレリース５のアウターチューブ６内をインナーワイヤ７が摺動し、これに連動して排水栓４が上下方向に開閉動作されるものである。
【０００３】
この排水栓遠隔操作装置にあっては、操作手段Ｂによる遠隔操作によって排水栓４を開閉動作させることができる。しかしながら、この場合、洗面ボウル１を有する洗面カウンター２の上面に上下方向でスライド動作される操作体９が操作手段Ｂとして突設されており、この操作体９が邪魔になって洗面カウンター２の上面を広く使用することができないものであった。
【０００４】
また、図４に示すように、洗面カウンター２の後端に立設されたバックガード部２３の前面に操作手段Ｃとして操作体９を突設した排水栓遠隔操作装置も知られている（特許文献２：特開２００５−１３３３３１号公報）。この排水栓遠隔操作装置にあっては、洗面カウンター２の上面に操作手段Ｃが存在しないので、この洗面カウンター２の上面を広く使用することはできる。
【０００５】
しかしながら、この場合、バックガード部２３の前面で操作体９が前後方向にスライド動作されるものであり、操作体９は前方へ突出動作された際に邪魔になる。しかも、バックガード部２３の内部スペースＳ２３でレリース５は湾曲され、この湾曲の曲率半径が小さくなると、レリース５のアウターチューブ６内におけるインナーワイヤ７の摺動性に支障を来たすということで同曲率半径は大きくされ、そのため、バックガード部２３の前後奥行き寸法が大きくなってしまうものであった。
【０００６】
更には、上記いずれの従来例にあっても、操作体９を手で操作するものであるため、シャンプーや洗面等で両手がふさがっている際には、操作手段Ｂ、Ｃで操作することができず、排水栓４を開閉動作させて洗面ボウル１内に湯水を溜めたり排水したりすることができないものであり、使い勝手の良くないものであった。
【特許文献１】特開平７−２２４４５１号公報
【特許文献２】特開２００５−１３３３３１号公報
【発明の開示】
【発明が解決しようとする課題】
【０００７】
本願発明は、上記背景技術に鑑みてなされたもので、その課題は、操作手段が邪魔にならず洗面カウンター上を広く使用することができてコンパクト化も可能で、使い勝手の良好な排水栓遠隔操作装置を提供することである。
【課題を解決するための手段】
【０００８】
上記課題を解決するために、本願発明の排水栓遠隔操作装置は、上面に洗面ボウルを有する洗面カウンターがキャビネットの上端部分に設置され、洗面ボウルの排水栓を開閉動作させる操作手段を備え、操作手段と排水栓とはレリースによって連結されており、操作手段の操作によりレリースのアウターチューブ内をインナーワイヤが摺動し、これに連動して排水栓が上下方向に開閉動作される排水栓遠隔操作装置であって、キャビネットの下端部分の前側に後方へ凹んだ蹴込み部が形成されており、この蹴込み部の表側に操作手段として操作体を突設し、同蹴込み部の裏側内部スペースではレリースの端部を前方へ向けて固定し、このレリースの端部で前後方向に摺動されるインナーワイヤの前端と前記操作体とを結合して、操作体の操作部は後方へ押し動作されることによって排水栓を開動作及び閉動作させるものとしたものとし、かつ、操作体の中程を蹴込み部に枢支してその両側を前後方向でシーソー状に揺動される操作部となし、一方の操作部の後側にインナーワイヤの前端を結合して、操作体の同一方の操作部を後方へ押し動作させることによって排水栓が開動作され、他方の操作部を後方へ押し動作させることによって排水栓が閉動作されるようになしたものである。
【発明の効果】
【０００９】
本願発明の排水栓遠隔操作装置においては、キャビネットの下端部分の前側に後方へ凹んだ蹴込み部が形成されており、この蹴込み部の表側に操作手段として操作体が突設されているため、この操作体を足先で操作することができ、その際、操作体の操作部は後方へ押し動作されることによって排水栓を開動作及び閉動作させるものであるため、足先で操作部を後方へ押すだけでよく、足先での簡単な操作となる。それ故、両手がふさがっていても、足先での簡単な操作によって排水栓を開動作及び閉動作させることができ、使い勝手は良好となる。
【００１０】
しかも、この場合、操作手段となる操作体はキャビネットの下端部分に形成される蹴込み部に設けられて洗面カウンター上で邪魔にならず、洗面ボウルを有する洗面カウンターの上面及びその上方を広く使用することができる。また、後方へ凹んだ蹴込み部内において操作体が突設されるので、足元においても操作手段は邪魔にならず、上方から見え難くて外観も良好に納まる。
【００１１】
更に、蹴込み部の裏側内部スペースではレリースの端部が前方へ向けて固定され、このレリースの端部で前後方向に摺動されるインナーワイヤの前端と操作体とが結合されるため、レリースは同裏側内部スペースで曲げられることなく略直線状とされ、レリースのアウターチューブ内におけるインナーワイヤの摺動性に支障を来たすことがない。また、この場合、レリースは前後方向で略直線状にして収容され、蹴込み部の裏側内部スペースを上下に狭く形成することができて蹴込み部を低くすることができ、洗面カウンターの前後奥行き寸法も小さく抑えられて、全体としてコンパクト化が図られる。
【発明を実施するための最良の形態】
【００１２】
図１、２は、本願の請求項に対応した一実施形態を示している。この実施形態の排水栓遠隔操作装置は、図１に示すように、上面に洗面ボウル１を有する洗面カウンター２がキャビネット３の上端部分に設置固定され、洗面ボウル１の排水栓４を開閉動作させる操作手段Ａを備えている。そして、操作手段Ａと排水栓４とはレリース５によって連結されており、操作手段Ａの操作によりレリース５のアウターチューブ６内をインナーワイヤ７が摺動し、これに連動して排水栓４が上下方向に開閉動作されるものである。
【００１３】
この場合、キャビネット３の下端部分の前側に後方へ凹んだ蹴込み部８が形成されており、この蹴込み部８の表側に操作手段Ａとして操作体９を突設している。蹴込み部８の裏側内部スペースＳではレリース５の端部を前方へ向けて固定し、このレリース５の端部で前後方向に摺動されるインナーワイヤ７の前端７ａと前記操作体９とを結合しており、操作体９の操作部９ａ、９ｂは後方へ押し動作Ｘ、Ｙされることによって排水栓４を開動作及び閉動作させるものである。
【００１４】
この実施形態の排水栓遠隔操作装置にあっては、操作体９の中程を蹴込み部８に枢支してその両側を前後方向でシーソー状に揺動される操作部９ａ、９ｂとなし、一方の操作部９ａの後側にインナーワイヤ７の前端７ａを結合して、この一方の操作部９ａを後方へ押し動作Ｘさせることによって排水栓４が開動作され、他方の操作部９ｂを後方へ押し動作Ｙさせることによって排水栓４が閉動作されるようになしている。この場合、操作体９の中程を蹴込み部８に水平軸１０で枢支して、その両側の操作部９ａ、９ｂが上下に配置されるようになし、上方に配置される操作部９ａの後側にインナーワイヤ７の前端７ａを結合している。
【００１５】
以下、この実施形態の排水栓遠隔操作装置をより具体的詳細に説明する。この実施形態の排水栓遠隔操作装置は、図１（ａ）に示すように、洗面台に用いられるものである。この洗面台にあっては、キャビネット３上に洗面ボウル１を有する洗面カウンター２が固定されている。キャビネット３は床面Ｆ上に台輪１１を介して設置され、洗面カウンター２と共にその背面が壁面Ｗに当接されており、その内部は収納スペース１２として使用される。キャビネット３の前面は扉（図示せず）によって開閉されるもので、洗面用具、浴室用具等の小物が収納スペース１２内から出し入れされる。また、台輪１１の前板部１１ａの前面部分が蹴込み部８となり、この蹴込み部８の表側には操作手段Ａとして操作体９が突設されている。
【００１６】
洗面カウンター２は、洗面ボウル１やバックガード部等と一体に合成樹脂で形成されたものであるが、洗面ボウル１は、洗面カウンター２及びバックガード部とは別体に陶器やステンレス等で形成されて固着一体化されてもよい。なお、この場合、バックガード部は前後奥行き寸法を小さくして形成することができるものである。そして、洗面ボウル１の底部分には排水口１３が設けられており、この排水口１３は排水栓４によって開閉されるものである。排水栓４が開動作された際には、洗面ボウル１から排水口１３を通じて排水管１４へと汚水が排水除去される。レリース５は排水管１４と共に、キャビネット３の後端部付近において台輪１１内スペース（蹴込み部８の裏側内部スペースＳ）へと導入されている。
【００１７】
図２に示すように、洗面ボウル１の排水口１３には排水筒部１５が垂設されており、この排水筒部１５内には、排水から毛髪や糸屑等を除去するために、ヘアキャッチャー１６が着脱自在に装着されている。ヘアキャッチャー１６には支持杆１７が上下方向スライド自在に貫通保持されており、この支持杆１７の上端部分に排水栓４となるケレップが固着一体化されている。排水筒部１５の下端部分にはＬ字状に折曲した連結管１８が接続されており、この連結管１８には前記排水管１４が接続されている。
【００１８】
そして、連結管１８の下端底壁部分に前記レリース５のアウターチューブ６の他方端部が結合固定され、この他方端部で上下方向に摺動されるインナーワイヤ７の他方上端には作動杆１９が結合されており、この作動杆１９と前記支持杆１７とは一体となって上下方向にスライド動作されるものである。これにより、前記操作体９の操作部９ａ、９ｂの押し動作Ｘ、Ｙに連動して、排水栓４が開閉動作される。なお、図２中２０は、前記洗面ボウル１の上部に形成されたオーバーフロー孔（図示せず）から流出したオーバーフロー水を排水筒部１５内へと案内して、排水口１３からの排水と合流させるオーバーフロー管である。
【００１９】
図１（ｂ）に示すように、キャビネット３の下端部分の前側には後方へ凹んだ蹴込み部８が形成されており、この蹴込み部８は台輪１１の前板部１１ａの前面部分である。そして、蹴込み部８における前板部１１ａの表側前面には、操作手段Ａとして操作体９が突設されている。この場合、操作体９は前方へ鈍角に拡開した側面視略Ｖ字形状で、その略Ｖ字形状のコーナー部分が水平軸１０として前板部１１ａの表側前面に枢着されている。この場合、略Ｖ字形状の操作体９は水平軸１０を中心として上下に回動され、その上下両辺部分が操作部９ａ、９ｂとして前後方向でシーソー状に揺動自在となる。
【００２０】
蹴込み部８の裏側内部スペースＳでは、レリース５の端部が前方へ向けて固定されており、この場合、台輪１１の前板部１１ａの裏面にレリース５のアウターチューブ６の前端部６ａが止め具２１によって結合固定されている。そして、レリース５の端部で前後方向に摺動されるインナーワイヤ７の前端７ａは、台輪１１の前板部１１ａに穿設された貫通孔２２を挿通されて蹴込み部８から前方へ突出され、前記操作体９の上方に位置する一方の操作部９ａの裏側に結合固着されている。
【００２１】
この場合、上方の操作部９ａの後側にインナーワイヤ７の前端７ａが結合されているので、この上方の操作部９ａを後方へ押し動作Ｘさせることにより、インナーワイヤ７が押されて排水栓４は上昇し開動作され、排水口１５が開口されるものである。逆に、下方の操作部９ｂを後方へ押し動作Ｙさせることにより、インナーワイヤ７が引っ張られて排水栓４は下降し閉動作され、排水口１５が閉塞されるものである。なお、図１（ｂ）で、実線は閉状態を示し、二点鎖線は開状態を示している。
【００２２】
したがって、この実施形態の排水栓遠隔操作装置においては、キャビネット３の下端部分の前側に後方へ凹んだ蹴込み部８が形成されており、この蹴込み部８の表側に操作手段Ａとして操作体９が突設されているため、この操作体９を足先で操作することができ、その際、操作体９の操作部９ａ、９ｂは後方へ押し動作されることによって排水栓４を開動作及び閉動作させるものであるため、足先で操作部９ａ、９ｂを後方へ押すだけの操作でよくて足先での簡単な操作となる。それ故、シャンプーや洗面等で両手がふさがっていても、足先での簡単な操作によって排水栓４を開動作及び閉動作させることができ、使い勝手は良好となる。
【００２３】
しかも、この場合、操作手段Ａとなる操作体９はキャビネット３の下端部分に形成される蹴込み部８に設けられて洗面カウンター２上で邪魔にならず、洗面ボウル１を有する洗面カウンター２の上面及びその上方を広く使用することができる。また、後方へ凹んだ蹴込み部８内において操作体９が突設されるので、足元においても操作手段Ａは邪魔にならず、上方から見え難くて外観も良好に納まる。
【００２４】
更に、蹴込み部８の裏側内部スペースＳでは、レリース５の端部が前方へ向けて固定され、このレリース５の端部で前後方向に摺動されるインナーワイヤ７の前端７ａと操作体９とが結合されるため、レリース５は同裏側内部スペースＳで曲げられることなく略直線状とされ、レリース５のアウターチューブ６内におけるインナーワイヤ７の摺動性に支障を来たすことがなく、レリース５は無理に折り曲げられることがなくてその破損も防止される。また、この場合、レリース５は前後方向で略直線状にして収容され、蹴込み部８の裏側内部スペースＳを上下に狭く形成することができて蹴込み部８（台輪１１）を低くすることができ、洗面カウンター２の前後奥行き寸法も小さく抑えられて、洗面台全体としてのコンパクト化を図ることができる。
【００２５】
また、この実施形態の排水栓遠隔操作装置においては、操作体９の中程を蹴込み部８に枢支してその両側を前後方向でシーソー状に揺動される操作部９ａ、９ｂとなし、一方の操作部９ａの後側にインナーワイヤ７の前端７ａを結合して、操作体９の同一方の操作部９ａを後方へ押し動作させることによって排水栓４が開動作され、他方の操作部９ｂを後方へ押し動作させることによって排水栓４が閉動作されるようになっており、足先で操作する押し位置を操作部９ａ、９ｂ変えることで排水栓４の開動作と閉動作とを区別して行うことができるため、足先での操作がより簡単となり、しかも、その際、操作体９はシーソー状に揺動されてスムーズに動作される。
【００２６】
また、この場合に、操作体９の中程を蹴込み部８に水平軸１０で枢支してその両側の操作部９ａ、９ｂが上下に配置されるようになし、上方の操作部９ａの後側にインナーワイヤ７の前端７ａを結合しているので、上方の操作部９ａを押したときに排水栓４が上昇して排水口１５は開口され、下方の操作部９ｂを押したときに排水栓４が下降して排水口１５は閉塞され、足先で操作する押し位置の上下と排水栓４の上昇、下降に伴う排水口１５の開閉との間に違和感がなく、操作を間違いなく確実に行うことができるようになる。
【００２７】
なお、本願発明の操作手段は、上記実施形態における操作手段Ａの構成に限定されるものでなく、操作体の操作部が引っ張り動作ではなく後方への押し動作によって排水栓を開動作及び閉動作させるものであればよく、例えば、特許文献２（特開２００５−１３３３３１号公報）に示される操作手段Ｃの操作体９（本願図４）を、本願図１に示されるキャビネット３の下端部分前側の蹴込み部８に設けてもよいものである。また、本願発明の排水栓遠隔操作装置は、洗面ボウルを流しシンク、洗面カウンターをキッチンカウンターとして、流し台において実施することもできるものである。
【図面の簡単な説明】
【００２８】
【図１】本願発明の一実施形態である排水栓遠隔操作装置が用いられた洗面台を示す（ａ）は概略縦断面図、（ｂ）は同排水栓遠隔操作装置の要部を示す縦断面図。
【図２】同排水栓遠隔操作装置の排水栓部分を示す縦断面図。
【図３】従来例である排水栓遠隔操作装置の要部を示す縦断面図。
【図４】別の従来例である排水栓遠隔操作装置の要部を示す縦断面図。
【符号の説明】
【００２９】
１  洗面ボウル
２  洗面カウンター
３  キャビネット
４  排水栓
５  レリース
６  アウターチューブ
７  インナーワイヤ
７ａ  前端
８  蹴込み部
９  操作体
９ａ、９ｂ  操作部
１０  水平軸
Ａ  本願発明の実施形態における操作手段
Ｂ、C  従来例における操作手段
Ｓ  裏側内部スペース
【図１】
0004462214.tif 000002
【図２】
0004462214.tif 000003
【図３】
0004462214.tif 000004
【図４】
0004462214.tif 000005